(57)【特許請求の範囲】
【請求項１】
板状部材差込み部が設けられた絶縁ハウジングと、
該絶縁ハウジング内に配列配置され、上記板状部材差込み部を通じて上記絶縁ハウジング内に差し込まれた配線板状部材に配列配置された複数の接続端子に夫々対応する位置をとる複数の導電コンタクトと、
上記絶縁ハウジングに回動可能に設けられ、上記複数の導電コンタクトに配線板状部材の上記絶縁ハウジング内への差込みを妨げない状態をとらせる第１の静止位置と、上記複数の導電コンタクトに上記複数の接続端子に夫々当接する状態をとらせる第２の静止位置とを選択的にとるアクチュエータと、
上記絶縁ハウジングに位置固定されて上記アクチュエータに係合する弾性部材と、
を備えて成り、
上記アクチュエータに、上記弾性部材との係合に供される第１及び第２の係合部が設けられるとともに、上記弾性部材に、上記第１の係合部に当接して上記アクチュエータに上記第２の静止位置へ向けての押圧力を作用させる押圧部と、上記第２の係合部に係合して上記アクチュエータを上記第１の静止位置に係止する係止部と、上記絶縁ハウジング内に差し込まれた配線板状部材に当接して上記係止部を上記第２の係合部との係合を解除すべく移動させ、上記アクチュエータの上記第１の静止位置から上記第２の静止位置への回動を許す当接部と、が設けられることを特徴とするコネクタ装置。
【請求項２】
上記アクチュエータが、上記複数の導電コンタクトに当接する状態をとるカム部を備え、該カム部が、上記アクチュエータが上記第１の静止位置をとるとき上記複数の導電コンタクトに当接して、該複数の導電コンタクトを配線板状部材の上記絶縁ハウジング内への差込みを妨げない位置に置くことを特徴とする請求項１記載のコネクタ装置。
【請求項３】
上記アクチュエータの第２の係合部が、上記カム部から突出するものとして備えられることを特徴とする請求項２記載のコネクタ装置。
【請求項４】
上記アクチュエータが、上記複数の導電コンタクトの配列方向に沿って延びる軸線の周りを回動するものとされ、上記弾性部材が、上記絶縁ハウジングにおける上記複数の導電コンタクトの配列方向における両端部に夫々取り付けられる一対のものとされ、上記アクチュエータの第１及び第２の係合部の組が、上記アクチュエータにおける上記絶縁ハウジングにおける上記複数の導電コンタクトの配列方向における両端部の夫々に設けられることを特徴とする請求項１記載のコネクタ装置。
【請求項５】
上記アクチュエータが、上記軸線を回動中心として回動し、上記複数の導電コンタクトに当接する状態をとるカム部を備え、該カム部が、上記アクチュエータが上記第１の静止位置をとるとき上記複数の導電コンタクトに当接して、該複数の導電コンタクトを配線板状部材の上記絶縁ハウジング内への差込みを妨げない位置に置くことを特徴とする請求項４記載のコネクタ装置。
【請求項６】
上記アクチュエータの第２の係合部が、上記カム部から上記軸線に沿って突出するものとして備えられることを特徴とする請求項５記載のコネクタ装置。
【請求項７】
上記アクチュエータが、該アクチュエータの上記複数の導電コンタクトの配列方向における両端部の夫々から上記軸線に沿って突出し、上記絶縁ハウジングによって支持される軸部を備えることを特徴とする請求項５記載のコネクタ装置。
【請求項８】
上記絶縁ハウジングが回路基板に取り付けられて、上記複数の導電コンタクトが上記回路基板に設けられた回路配線部に接続され、上記弾性部材が上記回路基板にも固定されることを特徴とする請求項１記載のコネクタ装置。
【発明の詳細な説明】
【技術分野】
【０００１】
本願の特許請求の範囲に記載された発明は、フレキシブル印刷配線基板（以下、ＦＰＣという。）あるいはフレキシブルフラットケーブル（以下、ＦＦＣという。）等の部分とされる配線板状部材に設けられた接続端子を、他の配線基板部材等に電気的に接続された状態とするためのコネクタ装置に関する。
【背景技術】
【０００２】
携帯電話機等の電子機器に実装される、比較的小型な配線基板部材を成すＦＰＣあるいはＦＦＣは、各種電気部品が取り付けられる主印刷配線基板への取付けが、それに設けられた接続端子が主印刷配線基板に電気的に接続されて行われるが、斯かるＦＰＣあるいはＦＦＣの主印刷配線基板への取付けは、当該主印刷配線基板に電気的接続がなされて固着されたコネクタ装置が用いられて行われるものとされることが多い。このようなコネクタ装置は、ＦＰＣあるいはＦＦＣに設けられた接続端子に接触する導電コンタクトを有していて、その導電コンタクトを介して、ＦＰＣあるいはＦＦＣに設けられた接続端子を、主印刷配線基板に設けられた回路配線部に電気的に接続する。
【０００３】
既に実用に供されているＦＰＣあるいはＦＦＣの主印刷配線基板への取付けに用いられるコネクタ装置は、例えば、ＦＰＣあるいはＦＦＣが差し込まれる差込み部が設けられた絶縁ハウジングを有したものとされる。そして、その絶縁ハウジング内に配列配置されて設けられ、ＦＰＣあるいはＦＦＣが差込み部を通じて絶縁ハウジングに差し込まれるとき、そのＦＰＣあるいはＦＦＣに設けられた複数の接続端子に夫々接触接続される複数の導電コンタクトと、絶縁ハウジングに回動可能に設けられ、複数の導電コンタクトの夫々に係合して、回動せしめられるとき複数の導電コンタクトの夫々における接触作動部を変位させる、複数の導電コンタクトに共通のアクチュエータとが備えられる。
【０００４】
複数の導電コンタクトの各々は、導電性弾性材料で形成され、絶縁ハウジングに固定される部分である固定部と可動部とを有するものとされる。そして、固定部は、主印刷配線基板に設けられた回路配線部に電気的に接続され、また、可動部は、アクチュエータにより変位せしめられる接触作動部を構成する。
【０００５】
斯かるコネクタ装置にあっては、絶縁ハウジングに差込み部を通じてＦＰＣあるいはＦＦＣが差し込まれたもとで、アクチュエータが所定の方向に回動せしめられると、当該アクチュエータが、複数の導電コンタクトの夫々における接触作動部を変位させて、当該接触作動部にＦＰＣあるいはＦＦＣに設けられた複数の接続端子のうちの対応するものに対する押圧接触状態をとらせる。また、複数の導電コンタクトの各々における接触作動部がＦＰＣあるいはＦＦＣに設けられた複数の接続端子のうちの対応するものに押圧接触する状態をとるもとで、アクチュエータが上述の所定の方向とは逆の方向に回動せしめられると、当該アクチュエータが、複数の導電コンタクトの夫々における接触作動部を変位させて、当該接触作動部にＦＰＣあるいはＦＦＣに設けられた複数の接続端子のうちの対応するものに対する押圧接触状態から解放する。
【０００６】
このようなアクチュエータの回動動作を伴うコネクタ装置を使用して、ＦＰＣあるいはＦＦＣをコネクタ装置が固着された主印刷配線基板に取り付ける際においては、一般的には、先ず、絶縁ハウジングに差込み部を通じてＦＰＣあるいはＦＦＣを差し込む操作を行い、それに続いて、アクチュエータを所定の方向に回動させる操作を行って、それにより、複数の導電コンタクトの夫々における接触作動部に、ＦＰＣあるいはＦＦＣに設けられた複数の接続端子のうちの対応するものに対する押圧接触状態をとらせることになる。従って、絶縁ハウジングに差込み部を通じてＦＰＣあるいはＦＦＣを差し込む操作とアクチュエータを所定の方向に回動させる操作とを個別に行うことが要されて、使用者が煩わしさを覚えることになってしまう。
【０００７】
そこで、従来、上述のようなアクチュエータの回動動作を伴うコネクタ装置であって、それを使用してＦＰＣあるいはＦＦＣを当該コネクタ装置が固着された主印刷配線基板に取り付けるにあたり、絶縁ハウジングに差込み部を通じてＦＰＣあるいはＦＦＣを差し込む操作とアクチュエータを所定の方向に回動させる操作とを個別に行うことが要されず、絶縁ハウジングに差込み部を通じてＦＰＣあるいはＦＦＣを差し込む操作だけで足りるようにされたものが提案されている（例えば、特許文献１参照）。
【０００８】
特許文献１に示されるようなコネクタ装置においては、絶縁ハウジング（筐体）に、複数の導電コンタクト（接触片）が配列配置されるとともに、アクチュエータが、絶縁ハウジング内へのＦＦＣの差込み方向に直交する方向（複数の導電コンタクトの配列方向）に沿って伸びる回動軸を回動中心として回動するものとされて設けられている。このアクチュエータは、その主要部分が所定の方向（絶縁ハウジングに設けられたＦＦＣ差込み部に向かう方向）に回動せしめられると、複数の導電コンタクトの夫々における接触作動部（接触ビーム）に、ＦＦＣにおける複数の接続端子（接点）のうちの対応するものに対する押圧接触状態をとらせる。
【０００９】
そして、アクチュエータには、回動軸から離隔した周縁部分に、絶縁ハウジング内に挿入されるＦＦＣの先端部が当接して押圧するものとされる突出部であるアクチュエータ突片部が設けられている。
【００１０】
このようなもとで、ＦＦＣが絶縁ハウジングに設けられたＦＦＣ差込み部を通じて絶縁ハウジング内に差し込まれるとき、差込み途中にあるＦＦＣの先端部が、アクチュエータ突片部に当接し、ＦＦＣの差込みに従って、アクチュエータ突片部をＦＦＣの差込み方向に押圧移動させる。それにより、アクチュエータが、回動軸を回動中心として、その主要部分を絶縁ハウジングに設けられたＦＦＣ差込み部に向かわせる方向に回動せしめられる。そして、このアクチュエータの回動により、複数の導電コンタクトの夫々における接触作動部が、絶縁ハウジング内に差し込まれたＦＦＣにおける複数の接続端子のうちの対応するものに対する押圧接触状態をとるものとされる。
【００１１】
即ち、ＦＦＣが絶縁ハウジングに設けられたＦＦＣ差込み部を通じて絶縁ハウジング内に差し込まれると、それに伴って、自動的に、アクチュエータが、その主要部分を絶縁ハウジングに設けられたＦＦＣ差込み部に向かわせる方向に回動させて、複数の導電コンタクトの夫々における接触作動部に、ＦＦＣにおける複数の接続端子のうちの対応するものに対する押圧接触状態をとらせるのである。従って、特許文献１に示されるようなコネクタ装置にあっては、ＦＦＣを当該コネクタ装置が固着された主印刷配線基板に取り付けるにあたり、絶縁ハウジングにＦＦＣ差込み部を通じてＦＦＣを差し込む操作だけで足りることになる。
【００１２】
【特許文献１】特開２００６−１３４５８１号公報（第４〜６頁、図４〜図６）
【発明の開示】
【発明が解決しようとする課題】
【００１３】
上述の特許文献１に示されるようなＦＦＣの主印刷配線基板への取付けに用いられる従来のコネクタ装置にあっては、ＦＦＣが絶縁ハウジングに設けられたＦＦＣ差込み部を通じて絶縁ハウジング内に差し込まれるとき、そのＦＦＣの先端部が、アクチュエータに設けられたアクチュエータ突片部を押圧移動させることにより、アクチュエータを回動させる。それゆえ、絶縁ハウジング内に差し込まれるＦＦＣは、その全体が先端部によりアクチュエータ突片部を押圧移動させることができるだけの所定の剛性を備えていることが要求される。従って、特許文献１に示されるような従来のコネクタ装置を使用するにあたっては、ＦＦＣを上述の所定の剛性を備えることになる素材及び形態をもって形成されたものとすることが要され、そのため、ＦＦＣの薄型化に支障がきたされる等の不都合がまねかれる。
【００１４】
また、複数の導電コンタクトの夫々における接触作動部のＦＦＣにおける複数の接続端子のうちの対応するものに対する押圧接触状態を確実なものとするためには、絶縁ハウジング内に差し込まれるＦＦＣによりアクチュエータが回動せしめられて、複数の導電コンタクトの夫々における接触作動部がＦＦＣに対する押圧接触状態をとるものとされたもとで、引き続きＦＦＣを絶縁ハウジング内の奥まで到達させるべく、ＦＦＣの更なる差込みを行うことが必要とされる。その際、複数の導電コンタクトの夫々における接触作動部がＦＦＣの表面との摺動を生じることになり、それにより、ＦＦＣに損傷が加えられることになってしまう虞がある。
【００１５】
さらに、絶縁ハウジング内に差し込まれるＦＦＣによって、アクチュエータの主要部が絶縁ハウジングに設けられたＦＦＣ差込み部に向かう方向に回動せしめられるので、ＦＦＣを絶縁ハウジング内の奥まで差し込むための操作が、作業性が良くないものとされてしまう。
【００１６】
斯かる点に鑑み、本願の特許請求の範囲に記載された発明は、例えば、ＦＰＣ，ＦＦＣ等の部分とされる配線板状部材の印刷配線基板への取付けに用いられる、板状部材差込み部が設けられた絶縁ハウジングと、その絶縁ハウジング内に配列配置されて設けられる複数の導電コンタクトと、絶縁ハウジングに回動可能に設けられて、回動により、複数の導電コンタクトに絶縁ハウジング内に差し込まれた配線板状部材における複数の接続端子に夫々当接する状態をとらせるアクチュエータとを備えたコネクタ装置であって、配線板状部材を当該コネクタ装置が固着された印刷配線基板に取り付ける場合等において、絶縁ハウジング内に板状部材差込み部を通じて配線板状部材を差し込む操作だけで目的を達成でき、しかも、配線板状部材の薄型化に支障をきたす虞がなく、複数の導電コンタクトの配線板状部材の表面との摺動により配線板状部材に損傷が加えられる虞もなく、さらに、配線板状部材を絶縁ハウジング内の奥まで差し込むための操作が作業性の良いよいものとされるものを提供する。
【課題を解決するための手段】
【００１７】
本願の特許請求の範囲における請求項１から請求項８までのいずれかに記載された発明（以下、本発明という。）に係るコネクタ装置は、板状部材差込み部が設けられた絶縁ハウジングと、絶縁ハウジング内に配列配置され、板状部材差込み部を通じて絶縁ハウジング内に差し込まれた配線板状部材に配列配置された複数の接続端子に夫々対応する位置をとる複数の導電コンタクトと、絶縁ハウジングに回動可能に設けられ、複数の導電コンタクトに配線板状部材の絶縁ハウジング内への差込みを妨げない状態をとらせる第１の静止位置と、複数の導電コンタクトに配線板状部材の複数の接続端子に夫々当接する状態をとらせる第２の静止位置とを選択的にとるアクチュエータと、絶縁ハウジングに位置固定されてアクチュエータに係合する弾性部材とを備えて成り、アクチュエータに、弾性部材との係合に供される第１及び第２の係合部が設けられるとともに、弾性部材に、第１の係合部に当接してアクチュエータに第２の静止位置へ向けての押圧力を作用させる押圧部と、第２の係合部に係合してアクチュエータを第１の静止位置に係止する係止部と、絶縁ハウジング内に差し込まれた配線板状部材に当接して係止部を第２の係合部との係合を解除すべく移動させ、アクチュエータの第１の静止位置から第２の静止位置への回動を許す当接部と、が設けられることを特徴とするものとされる。
【００１８】
特に、本願の特許請求の範囲における請求項２に記載された発明に係るコネクタ装置にあっては、アクチュエータが、複数の導電コンタクトに当接する状態をとるカム部を備え、そのカム部が、アクチュエータが第１の静止状態をとるとき複数の導電コンタクトに当接して、複数の導電コンタクトを配線板状部材の絶縁ハウジング内への差込みを妨げない位置に置くことを特徴とするものとされる。
【００１９】
上述のように構成される本発明に係るコネクタ装置にあっては、弾性部材に設けられた係止部がアクチュエータに設けられた第２の係合部に係合し、それによりアクチュエータが第１の静止位置に係止されたもとで、絶縁ハウジング内に板状部材差込み部を通じて、例えば、ＦＰＣとされる配線板状部材が差し込まれる。絶縁ハウジング内に配線板状部材が差し込まれると、弾性部材に設けられた当接部が、差し込まれた配線板状部材に当接し、その配線板状部材によってその厚み方向に変位せしめられる。この当接部の変位が、弾性部材に設けられた係止部をアクチュエータに設けられた第２の係合部との係合を解除すべく移動させる。このようにして、弾性部材に設けられた係止部のアクチュエータに設けられた第２の係合部との係合が解除されると、アクチュエータが、それに設けられた第１の係合部に当接する弾性部材に設けられた押圧部が及ぼす第２の静止位置へ向けての押圧力に従って、第１の静止位置から第２の静止位置へ回動することが許される状態に置かれ、自動的に第２の静止位置をとる。
【００２０】
従って、アクチュエータが第１の静止位置に係止されたもとで、絶縁ハウジング内に配線板状部材が差し込まれるとき、それに伴って、アクチュエータが、自動的に、第２の静止位置をとるものとされることになる。そして、アクチュエータが第２の静止位置をとるものとされることにより、絶縁ハウジング内に配列配置された複数の導電コンタクトが、絶縁ハウジング内に差し込まれた配線板状部材に配列配置された複数の接続端子に夫々当接する状態に置かれる。その結果、例えば、配線板状部材に配列配置された複数の接続端子が、複数の導電コンタクトを介して、複数の導電コンタクトが接続された回路基板の回路配線部等に電気的に接続されることになる。
【００２１】
アクチュエータは、例えば、複数の導電コンタクトに当接する状態をとるカム部を備えるものとされる。斯かる場合には、アクチュエータに備えられたカム部が、アクチュエータが第１の静止状態をとるとき複数の導電コンタクトに当接して、複数の導電コンタクトを配線板状部材の絶縁ハウジング内への差込みを妨げない位置に置くものとされる。
【００２２】
また、アクチュエータが第２の静止位置をとるものとされ、絶縁ハウジング内に配列配置された複数の導電コンタクトが、絶縁ハウジング内に差し込まれた配線板状部材に配列配置された複数の接続端子に夫々当接する状態に置かれたもとで、アクチュエータを、弾性部材に設けられた押圧部が及ぼす押圧力に抗して、第２の静止位置から第１の静止位置へと回動させる操作が行われると、絶縁ハウジング内に配列配置された複数の導電コンタクトが、絶縁ハウジング内に差し込まれた配線板状部材に配列配置された複数の接続端子に夫々当接する状態から解除されるとともに、弾性部材に設けられた係止部が、アクチュエータに設けられた第２の係合部に係合してアクチュエータを第１の静止位置に係止する状態に置かれる。その後、必要に応じて、配線板状部材が絶縁ハウジングから板状部材差込み部を通じて離脱せしめられる。
【発明の効果】
【００２３】
上述のような本発明に係るコネクタ装置にあっては、ＦＰＣ，ＦＦＣ等の部分とされる配線板状部材を当該コネクタ装置が固着された主印刷配線基板に取り付ける場合等において、配線板状部材における複数の接続端子が絶縁ハウジング内の複数の導電コンタクトに接続される状態を得るべく、アクチュエータが第１の静止位置をとるもとで、配線板状部材が絶縁ハウジング内に板状部材差込み部を通じて差し込まれるとき、配線板状部材の絶縁ハウジング内への差込みに伴って、アクチュエータが自動的に第１の静止位置から第２の静止位置へと回動して、第２の静止位置をとるものとされ、それにより、複数の導電コンタクトが絶縁ハウジング内に差し込まれた配線板状部材における複数の接続端子に夫々当接するものとされる。従って、本発明に係るコネクタ装置によれば、配線板状部材における複数の接続端子が絶縁ハウジング内の複数の導電コンタクトに接続される状態を得るにあたり、配線板状部材を絶縁ハウジング内に板状部材差込み部を通じて差し込む操作だけで足り、アクチュエータを回動させる操作は必要とされないので、極めて簡単な操作をもって確実に目的を達成することができる。
【００２４】
また、本発明に係るコネクタ装置によれば、配線板状部材の絶縁ハウジング内への差込みに伴うアクチュエータの自動的な回動は、絶縁ハウジング内に差し込まれる配線板状部材の先端部がアクチュエータの一部等を押圧移動させることによってではなく、弾性部材に設けられた当接部が、絶縁ハウジング内に差し込まれた配線板状部材に当接し、その配線板状部材によってその厚み方向に変位せしめられることによってもたらされるので、配線板状部材が、例えば、その先端部によりアクチュエータの一部等を押圧移動させることができるだけの所定の剛性を備えることになる素材及び形態をもって形成されることは必要とされず、従って、配線板状部材の薄型化に支障がきたされる虞がない。
【００２５】
それに加えて、本発明に係るコネクタ装置によれば、絶縁ハウジング内における複数の導電コンタクトが絶縁ハウジング内に差し込まれた配線板状部材における複数の接続端子に夫々当接するものとされる状態は、配線板状部材が絶縁ハウジング内の奥まで差し込まれて所定の位置に配されたもとでとられるので、複数の導電コンタクトの配線板状部材の表面との摺動により配線板状部材に損傷が加えられるという虞もなく、かつ、絶縁ハウジング内における複数の導電コンタクトが絶縁ハウジング内に差し込まれた配線板状部材における複数の接続端子に適正に当接した状態を、絶縁ハウジング内への配線板状部材の差込み状態をもって確認することができる。
【００２６】
さらに、本発明に係るコネクタ装置によれば、配線板状部材の絶縁ハウジング内への差込みに伴うアクチュエータの自動的な回動が、絶縁ハウジングにおける板状部材差込み部が設けられた端部に対向する端部に向かう方向に行われるので、配線板状部材を絶縁ハウジング内の奥まで差し込むための操作が、アクチュエータに煩わされることのない、作業性の良いよいものとされることになる。
【発明を実施するための最良の形態】
【００２７】
本発明を実施するための最良の形態は、以下に述べられる本発明についての実施例をもって説明される。
【実施例】
【００２８】
図１は、本発明に係るコネクタ装置の一例を、それに差し込まれる配線板状部材とされるＦＰＣの部分と共に示し、また、図２は、本発明に係るコネクタ装置の一例を単独で示す。
【００２９】
図１及び図２において、本発明に係るコネクタ装置の一例を成すコネクタ装置１０は、合成樹脂等の絶縁材料によって形成された絶縁ハウジング１１を備えており、絶縁ハウジング１１には、板状部材差込み部１２が設けられている。この絶縁ハウジング１１には、例えば、ＦＰＣ１３の部分が、配線板状部材を成すものとして、板状部材差込み部１２を通じて、その内部に差し込まれる。
【００３０】
板状部材差込み部１２を通じて絶縁ハウジング１１内に差し込まれるＦＰＣ１３の部分には、各々が短冊形を成すものとされた導電性材料で成る複数の接続端子１４が、配列配置されて設けられている。複数の接続端子１４の夫々は、図示が省略された、ＦＰＣ１３に設けられた印刷配線部に連結されている。
【００３１】
コネクタ装置１０の絶縁ハウジング１１内には、複数の導電コンタクト１５が配列配置されている。これらの複数の導電コンタクト１５は、各々が、絶縁ハウジング１１に対するＦＰＣ１３の部分の差込み及び抜出し方向に沿う方向に伸びるものとされ、ＦＰＣ１３の部分が板状部材差込み部１２を通じて絶縁ハウジング１１内に差し込まれるとき、差し込まれたＦＰＣ１３の部分に配列配置された複数の接続端子１４に夫々対応する位置をとるものとされている。
【００３２】
複数の導電コンタクト１５の夫々は、後述される図７に示されるように、弾性を有した導電性材料で形成された、全体が略「Ｕ」字状を成す板状部材とされている。斯かる導電コンタクト１５における、連結部１６によって相互連結された一対のビーム部１７及び１８のうち、ビーム部１７が固定部とされ、ビーム部１８が変位可能な可動部とされている。そして、固定部を成すビーム部１７は、その一端部に、絶縁ハウジング１１内に差し込まれたＦＰＣ１３の部分に当接する、当接部１７ａが設けられ、また、その他端部に、絶縁ハウジング１１が取り付けられた回路基板に設けられた回路配線部（図示が省略されている）に接続される、接続部１７ｂが設けられたものとされる。また、可動部を成すビーム部１８は、連結部１６から伸び、その一端部に、絶縁ハウジング１１内に差し込まれたＦＰＣ１３の部分に配列配置された複数の接続端子１４のうちの対応するものに押圧当接する、押圧当接部１８ａが設けられたものとされる。ビーム部１７の一端部に設けられた当接部１７ａとビーム部１８の一端部に設けられた押圧当接部１８ａとは、相互対向する位置に置かれている。
【００３３】
そして、ＦＰＣ１３の部分が板状部材差込み部１２を通じて絶縁ハウジング１１内に差し込まれるときには、複数の接続端子１４が配列配置されて設けられたＦＰＣ１３の部分が、絶縁ハウジング１１内に配列配置された複数の導電コンタクト１５の夫々におけるビーム部１７とビーム部１８との間に配される。その際、複数の導電コンタクト１５におけるビーム部１８は、ＦＰＣ１３の部分に設けられた複数の接続端子１４に夫々対応するものとなる。
【００３４】
また、絶縁ハウジング１１には、それにおける板状部材差込み部１２が設けられた端部に対向する端部側に配置されたアクチュエータ２０が、回動可能に設けられている。さらに、絶縁ハウジング１１の複数の導電コンタクト１５の配列方向における両端部には、各々がアクチュエータ２０に係合する部分を有した一対の弾性部材２１及び２２が夫々位置固定されて取り付けられている。
【００３５】
アクチュエータ２０は、合成樹脂等の絶縁材料によって形成されて、その全体が、絶縁ハウジング１１における複数の導電コンタクト１５の配列方向に伸びる細長い形状をしており、図３に示されるように、アクチュエータ２０を回動させる操作に供される操作部２３、及び、絶縁ハウジング１１内に配列配置された複数の導電コンタクト１５の配列方向に沿って伸び、複数の導電コンタクト１５に当接する状態をとるカム部２４を備えている。そして、アクチュエータ２０は、カム部２４を貫通して複数の導電コンタクト１５の配列方向に沿って伸びる仮想軸線Ｘの周りを回動するものとされている。
【００３６】
アクチュエータ２０の複数の導電コンタクト１５の配列方向における一端部には、弾性部材２１が係合する切欠き係合部（第１の係合部）２５と軸状係合部（第２の係合部）２６とが設けられている。軸状係合部２６は、カム部２４から切欠き係合部２５に向い仮想軸線Ｘに沿って突出している。また、アクチュエータ２０の複数の導電コンタクト１５の配列方向における他端部には、弾性部材２２が係合する切欠き係合部（第１の係合部）２７と軸状係合部（第２の係合部）２８とが設けられている。軸状係合部２８は、カム部２４から切欠き係合部２７に向い仮想軸線Ｘに沿って突出している。
【００３７】
さらに、アクチュエータ２０の複数の導電コンタクト１５の配列方向における一端部からは、軸部２９が仮想軸線Ｘに沿ってアクチュエータ２０の外方に突出しており、また、アクチュエータ２０の複数の導電コンタクト１５の配列方向における他端部からは、軸部３０が仮想軸線Ｘに沿ってアクチュエータ２０の外方に突出している。これらの軸部２９及び３０は、絶縁ハウジング１１の複数の導電コンタクト１５の配列方向における両端部に設けられた軸受孔に夫々挿入されて、絶縁ハウジング１１により支持される。それにより、アクチュエータ２０が、図１及び図２に示されるように絶縁ハウジング１１に組み付けられて、仮想軸線Ｘに沿うものとされた軸部２９及び３０を回動中心にして、仮想軸線Ｘの周りを回動することができるものとされている。
【００３８】
絶縁ハウジング１１の複数の導電コンタクト１５の配列方向における一端部に取り付けられる弾性部材２１は、その全体が、弾性金属板材料が屈曲せしめられて形成され、図４に示されるように、アクチュエータ２０における切欠き係合部２５に当接してアクチュエータ２０を押圧する押圧部３１と、アクチュエータ２０における軸状係合部２６に係合してアクチュエータ２０を係止する係止部３２と、絶縁ハウジング１１内に差し込まれたＦＰＣ１３の部分に当接する当接部３３とが設けられている。押圧部３１は、その全体が可動アーム状部を成すものとされており、また、係止部３２と当接部３３とは、両者に共通の他の可動アーム状部に形成されたものとされている。さらに、弾性部材２１は、絶縁ハウジング１１に係合するハウジング係合部３４を有しており、そのハウジング係合部３４が絶縁ハウジング１１の複数の導電コンタクト１５の配列方向における一端部に係合せしめられて、絶縁ハウジング１１に取り付けられる。なお、弾性部材２１は、絶縁ハウジング１１が取り付けられた回路基板にも固定される。
【００３９】
また、絶縁ハウジング１１の複数の導電コンタクト１５の配列方向における他端部に取り付けられる弾性部材２２も、その全体が、弾性金属板材料が屈曲せしめられて形成され、弾性部材２１と同様に、アクチュエータ２０における切欠き係合部２７に当接してアクチュエータ２０を押圧する、弾性部材２１の押圧部３１と同様な押圧部３６と、アクチュエータ２０における軸状係合部２８に係合してアクチュエータ２０を係止する、弾性部材２１の係止部３２と同様な係止部３７（図には現れていない）と、絶縁ハウジング１１内に差し込まれたＦＰＣ１３の部分に当接する、弾性部材２１の当接部３３と同様な当接部３８とが設けられている。押圧部３６は、その全体が可動アーム状部を成すものとされており、また、係止部３７と当接部３８とは、両者に共通の他の可動アーム状部に形成されたものとされている。さらに、弾性部材２２は、絶縁ハウジング１１に係合するハウジング係合部３９を有しており、そのハウジング係合部３９が絶縁ハウジング１１の複数の導電コンタクト１５の配列方向における他端部に係合せしめられて、絶縁ハウジング１１に取り付けられる。なお、弾性部材２２は、絶縁ハウジング１１が取り付けられた回路基板にも固定される。
【００４０】
コネクタ装置１０が図１及び図２に示される状態に置かれているときには、図２におけるＶ−Ｖ線断面をあらわす図５に示されるように、弾性部材２１に設けられた係止部３２が、アクチュエータ２０に設けられた軸状係合部２６に形成された切欠きに係合してアクチュエータ２０の回動を規制しており、また、弾性部材２１に設けられた係止部３２と同様に、弾性部材２２に設けられた係止部３７も、アクチュエータ２０に設けられた軸状係合部２８に形成された切欠きに係合してアクチュエータ２０の回動を規制している。それにより、弾性部材２１に設けられた係止部３２と弾性部材２２に設けられた係止部３７とは、アクチュエータ２０を、例えば、絶縁ハウジング１１における板状部材差込み部１２が設けられた端部に対向する端部側から所定の傾斜角を成して起き上がった位置とされる、第１の静止位置に係止している。
【００４１】
このとき、図２におけるＶＩ−ＶＩ線断面をあらわす図６に示されるように、弾性部材２２に設けられた押圧部３６が、アクチュエータ２０に設けられた切欠き係合部２７に当接して、第１の静止位置をとるアクチュエータ２０に、それを絶縁ハウジング１１における板状部材差込み部１２が設けられた端部に対向する端部側に倒そうとする押圧力を作用させており、また、弾性部材２２に設けられた押圧部３６と同様に、弾性部材２１に設けられた押圧部３１も、アクチュエータ２０に設けられた切欠き係合部２５に当接して、第１の静止位置をとるアクチュエータ２０に、それを絶縁ハウジング１１における板状部材差込み部１２が設けられた端部に対向する端部側に倒そうとする押圧力を作用させている。このようにして、第１の静止位置をとるアクチュエータ２０は、弾性部材２２に設けられた押圧部３６及び弾性部材２１に設けられた押圧部３１による押圧力を受けているが、上述のように、弾性部材２１に設けられた係止部３２の軸状係合部２６に形成された切欠きとの係合及び弾性部材２２に設けられた係止部３７の軸状係合部２８に形成された切欠きとの係合により、回動が規制されているので、第１の静止位置をとる状態に維持される。
【００４２】
アクチュエータ２０が第１の静止位置をとるもとにあっては、図２におけるＶＩＩ−ＶＩＩ線断面をあらわす図７に示されるように、アクチュエータ２０が備えるカム部２４が、絶縁ハウジング１１内に配列配置された複数の導電コンタクト１５の夫々における可動部とされたビーム部１８に当接して、ビーム部１８を、その弾性力に抗して、当該導電コンタクト１５における固定部とされたビーム部１７から離隔する方向に変位させた状態をとるものとされる。このように変位せしめられたビーム部１８は、それに設けられた押圧当接部１８ａとビーム部１７に設けられた当接部１７ａとの間の間隔を広げ、ＦＰＣ１３の部分の絶縁ハウジング１１内への差込みを妨げない位置に置かれることになる。
【００４３】
このようにしてアクチュエータ２０が第１の静止位置をとるもとにおいて、配線板状部材を成すＦＰＣ１３の部分が、絶縁ハウジング１１に設けられた板状部材差込み部１２を通じて絶縁ハウジング１１内に差し込まれる。その際には、図８に示されるように、ＦＰＣ１３の部分が絶縁ハウジング１１内における予め設定された所定の位置まで差し込まれると、弾性部材２１に設けられた当接部３３が、差し込まれたＦＰＣ１３の部分における、図８において上方側となる複数の接続端子が配列配置された面（以下、上面といい、それに対向する図８において下方側となる面を下面という。）に当接する。それにより、弾性部材２１に設けられた当接部３３が、ＦＰＣ１３の部分によってその厚み方向において図８における上方（以下、単に上方という。）に変位せしめられる。この弾性部材２１に設けられた当接部３３の変位は、弾性部材２１における係止部３２と当接部３３とが形成された可動アーム状部の上方への変位を生じさせ、その結果、弾性部材２１に設けられた係止部３２を、アクチュエータ２０に設けられた軸状係合部２６に形成された切欠きとの係合を解除すべく移動させる。
【００４４】
また、それとともに、弾性部材２２に設けられた当接部３８も、絶縁ハウジング１１内における予め設定された所定の位置まで差し込まれたＦＰＣ１３の部分における上面に当接する。それにより、弾性部材２２に設けられた当接部３８が、ＦＰＣ１３の部分によってその厚み方向に変位せしめられる。この弾性部材２２に設けられた当接部３８の変位は、弾性部材２２における係止部３７と当接部３８とが形成された可動アーム状部の上方への変位を生じさせ、その結果、弾性部材２２に設けられた係止部３７を、アクチュエータ２０に設けられた軸状係合部２８に形成された切欠きとの係合を解除すべく移動させる。
【００４５】
このようにして、弾性部材２１に設けられた係止部３２のアクチュエータ２０に設けられた軸状係合部２６に形成された切欠きとの係合が解除されるとともに、弾性部材２２に設けられた係止部３７のアクチュエータ２０に設けられた軸状係合部２８に形成された切欠きとの係合が解除されると、アクチュエータ２０が、それに設けられた切欠き係合部２５及び２７に夫々当接する弾性部材２１に設けられた押圧部３１及び弾性部材２２に設けられた押圧部３６が及ぼす、アクチュエータ２０を絶縁ハウジング１１における板状部材差込み部１２が設けられた端部に対向する端部側に倒そうとする押圧力によって、第１の静止位置から、図８に示される、絶縁ハウジング１１における板状部材差込み部１２が設けられた端部に対向する端部側に倒れた位置である第２の静止位置へと自動的に回動せしめられ、第２の静止位置をとるものとされる。アクチュエータ２０が第２の静止位置をとるとき、図９に示されるように、アクチュエータ２０に設けられた切欠き係合部２７に当接する弾性部材２２に設けられた押圧部３６が、その押圧力によってアクチュエータ２０を第２の静止位置に維持する役割を果たし、また、それと同様にして、アクチュエータ２０に設けられた切欠き係合部２５に当接する弾性部材２１に設けられた押圧部３１も、その押圧力によってアクチュエータ２０を第２の静止位置に維持する役割を果たす。
【００４６】
このようにして、アクチュエータ２０が第１の静止位置から第２の静止位置へと自動的に回動せしめられるとき、アクチュエータ２０に備えられたカム部２４もアクチュエータ２０の回動に伴って回動し、アクチュエータ２０が第２の静止位置をとるものとされるときには、図１０に示されるように、アクチュエータ２０に備えられたカム部２４は、絶縁ハウジング１１内に配列配置された複数の導電コンタクト１５の夫々における可動部とされたビーム部１８に対する当接を解除するものとなる。それにより、複数の導電コンタクト１５の夫々における可動部とされたビーム部１８は、その弾性力によって、当該導電コンタクト１５における固定部とされたビーム部１７に近接する方向に変位し、それに設けられた押圧当接部１８ａを、絶縁ハウジング１１内における予め設定された所定の位置まで差し込まれて、ビーム部１７とビーム部１８との間に配された、ＦＰＣ１３の部分における上面に配列配置された複数の接続端子１４のうちの対応するものに押圧当接させる。
【００４７】
また、このとき、複数の導電コンタクト１５の夫々における固定部とされたビーム部１７に設けられた当接部１７ａは，絶縁ハウジング１１内における予め設定された所定の位置まで差し込まれて、ビーム部１７とビーム部１８との間に配された、ＦＰＣ１３の部分における下面に当接する。
【００４８】
上述のようにして、複数の導電コンタクト１５の夫々における可動部とされたビーム部１８が、それに設けられた押圧当接部１８ａを、絶縁ハウジング１１内に差し込まれたＦＰＣ１３の部分に配列配置された複数の接続端子１４のうちの対応するものに押圧当接させることにより、ＦＰＣ１３の部分に配列配置された複数の接続端子１４と複数の導電コンタクト１５との電気的接続がなされることになる。そして、例えば、ＦＰＣ１３の部分に配列配置された複数の接続端子１４が、複数の導電コンタクト１５を介して、複数の導電コンタクト１５の夫々に設けられた接続部１７ｂが接続される、コネクタ装置１０が固着された回路基板に設けられた回路配線部に電気的に接続されることになる。
【００４９】
アクチュエータ２０が第２の静止位置をとるものとされ、絶縁ハウジング１１内に配列配置された複数の導電コンタクト１５の夫々におけるビーム部１８に設けられた押圧当接部１８ａが、絶縁ハウジング内１１に差し込まれたＦＰＣ１３の部分に配列配置された複数の接続端子１４のうちの対応するものに押圧当接する状態に置かれたもとで、アクチュエータ２０を、弾性部材２１に設けられた押圧部３１及び弾性部材２２に設けられた押圧部３６が及ぼす押圧力に抗して、第２の静止位置から第１の静止位置へと回動させる操作が行われると、複数の導電コンタクト１５の夫々におけるビーム部１８に設けられた押圧当接部１８ａが、ＦＰＣ１３の部分に配列配置された複数の接続端子１４のうちの対応するものに押圧当接する状態から解除される。その後、ＦＰＣ１３の部分を絶縁ハウジング１１から板状部材差込み部１２を通じて離脱させると、弾性部材２１に設けられた係止部３２がアクチュエータ２０に設けられた軸状係合部２６に係合し、また、弾性部材２２に設けられた係止部３７がアクチュエータ２０に設けられた軸状係合部２８に係合して、アクチュエータ２０が第１の静止位置に係止される状態がとられる。
【００５０】
上述のようなコネクタ装置１０によれば、ＦＰＣ１３の部分における複数の接続端子１４が絶縁ハウジング１１内の複数の導電コンタクト１５に接続される状態を得るにあたり、ＦＰＣ１３の部分を絶縁ハウジング１１内に板状部材差込み部１２を通じて差し込む操作だけで足り、アクチュエータ２０を回動させる操作は必要とされないので、極めて簡単な操作をもって確実に目的を達成することができることになる。
【００５１】
また、コネクタ装置１０によれば、ＦＰＣ１３の部分の絶縁ハウジング１１内への差込みに伴うアクチュエータ２０の自動的な回動は、絶縁ハウジング１１内に差し込まれるＦＰＣ１３の部分がアクチュエータ２０の一部等を押圧移動させることによってではなく、弾性部材２１に設けられた当接部３３及び弾性部材２２に設けられた当接部３８が、絶縁ハウジング１１内に差し込まれたＦＰＣ１３の部分に当接し、そのＦＰＣ１３の部分によってその厚み方向に変位せしめられることによってもたらされるので、ＦＰＣ１３の部分が、例えば、それによりアクチュエータ２０の一部等を押圧移動させることができるだけの所定の剛性を備えることになる素材及び形態をもって形成されることは必要とされず、従って、ＦＰＣ１３の部分の薄型化に支障がきたされる虞がない。
【００５２】
それに加えて、コネクタ装置１０によれば、絶縁ハウジング１１内における複数の導電コンタクト１５が絶縁ハウジング１１内に差し込まれたＦＰＣ１３の部分における複数の接続端子１４に夫々押圧当接するものとされる状態は、ＦＰＣ１３の部分が絶縁ハウジング１１内の奥まで差し込まれて予め設定された所定の位置に配されたもとでとられるので、複数の導電コンタクト１５のＦＰＣ１３の部分の表面との摺動によりＦＰＣ１３の部分に損傷が加えられるという虞もなく、かつ、絶縁ハウジング１１内における複数の導電コンタクト１５が絶縁ハウジング１１内に差し込まれたＦＰＣ１３の部分における複数の接続端子１４に適正に押圧当接した状態を、絶縁ハウジング１１内へのＦＰＣ１３の部分の差込み状態をもって確認することができる。
【００５３】
さらに、コネクタ装置１０によれば、ＦＰＣ１３の部分の絶縁ハウジング１１内への差込みに伴うアクチュエータ２０の自動的な回動が、絶縁ハウジング１１における板状部材差込み部１２が設けられた端部に対向する端部に向かう方向に行われるので、ＦＰＣ１３の部分を絶縁ハウジング１１内の奥までの差し込むための操作が、アクチュエータ２０に煩わされることのない、作業性の良いものとされることになる。
【００５４】
なお、上述の例においては、ＦＰＣ１３の部分における上面に複数の接続端子１４が配列配置されており、ＦＰＣ１３の部分が絶縁ハウジング１１内に差し込まれるとき、複数の導電コンタクト１５の夫々における可動部とされるビーム部１８に設けられた押圧当接部１８ａが、ＦＰＣ１３の部分における上面における複数の接続端子１４のうちの対応するものに押圧当接し、当該導電コンタクト１５における固定部とされるビーム部１７に設けられた当接部１７ａが、ＦＰＣ１３の部分の下面に当接するものとされているが、ＦＰＣ１３の部分における下面に複数の接続端子が配列配置されていて、そのＦＰＣ１３の部分が絶縁ハウジング１１内に差し込まれるとき、複数の導電コンタクト１５の夫々における可動部とされるビーム部１８に設けられた押圧当接部１８ａが、ＦＰＣ１３の部分の上面に押圧当接し、当該導電コンタクト１５における固定部とされるビーム部１７に設けられた当接部１７ａが、ＦＰＣ１３の部分における下面における複数の接続端子に当接するものとされてもよい。
【００５５】
また、上述の例においては、複数の導電コンタクト１５の夫々における当接部１７ａと押圧当接部１８ａとが相互対向する位置に配されているが、斯かる当接部１７ａと押圧当接部１８ａとは、絶縁ハウジング１１に対するＦＰＣ１３の部分の差込み及び抜出し方向において位置ずれしているものとされてもよい。さらに、弾性部材２１において押圧部３１と係止部３２及び当接部３３が形成された可動アーム状部とハウジング係合部３４とが一体に形成されるとともに、弾性部材２２において押圧部３６と係止部３７及び当接部３８が形成された可動アーム状部とハウジング係合部３９とが一体に形成されているが、弾性部材２１においてハウジング係合部３４が二分され、それらの一方と押圧部３１とが一体に形成されるとともに、他方と係止部３２及び当接部３３が形成された可動アーム状部とが一体に形成され、また、弾性部材２２においてハウジング係合部３９が二分され、それらの一方と押圧部３６とが一体に形成されるとともに、他方と係止部３７及び当接部３８が形成された可動アーム状部とが一体に形成されてもよい。
【産業上の利用可能性】
【００５６】
以上のような本発明に係るコネクタ装置は、例えば、ＦＰＣの部分とされる配線板状部材の印刷配線基板への取付けに用いられる、板状部材差込み部が設けられた絶縁ハウジングと、その内部に設けられる複数の導電コンタクトと、回動可能に設けられて、回動により、複数の導電コンタクトに絶縁ハウジング内に差し込まれた配線板状部材における複数の接続端子に夫々当接する状態をとらせるアクチュエータとを備えたコネクタ装置であって、配線板状部材を当該コネクタ装置が固着された印刷配線基板に取り付ける場合等において、絶縁ハウジング内に板状部材差込み部を通じて配線板状部材を差し込む操作だけで目的を達成でき、しかも、配線板状部材の薄型化に支障をきたす虞がなく、複数の導電コンタクトの配線板状部材の表面との摺動により配線板状部材に損傷が加えられる虞もないものとして、様々な電子機器等に広く適用され得るものである。
【図面の簡単な説明】
【００５７】
【図１】本発明に係るコネクタ装置の一例を、それに差し込まれるＦＰＣの部分と共に示す斜視図である。
【図２】本発明に係るコネクタ装置の一例を示す正面図である。
【図３】本発明に係るコネクタ装置の一例に備えられるアクチュエータの説明に供される斜視図である。
【図４】本発明に係るコネクタ装置の一例に備えられる弾性部材の説明に供される斜視図である。
【図５】図２におけるＶ−Ｖ線断面をあらわす断面図である。
【図６】図２におけるＶＩ−ＶＩ線断面をあらわす断面図である。
【図７】図２におけるＶＩＩ−ＶＩＩ線断面をあらわす断面図である。
【図８】本発明に係るコネクタ装置の一例の使用状態説明に供される断面図である。
【図９】本発明に係るコネクタ装置の一例の使用状態説明に供される断面図である。
【図１０】本発明に係るコネクタ装置の一例の使用状態説明に供される断面図である。
【符号の説明】
【００５８】
１０・・・コネクタ装置，  １１・・・絶縁ハウジング，  １２・・・板状部材差込み部，  １３・・・ＦＰＣ，  １４・・・接続端子，  １５・・・導電コンタクト，  １６・・・連結部，  １７，１８・・・ビーム部，  １７ａ，３３，３８・・・当接部，  １７ｂ・・・接続部，  １８ａ・・・押圧当接部，  ２０・・・アクチュエータ，  ２１，２２・・・弾性部材，  ２３・・・操作部，  ２４・・・カム部，  ２５，２７・・・切欠き係合部，  ２６，２８・・・軸状係合部，  ２９，３０・・・軸部，  ３１，３６・・・押圧部，  ３２，３７・・・係止部，  ３４，３９・・・ハウジング係合部
【図１】
0005077028.tif 000002
【図２】
0005077028.tif 000003
【図３】
0005077028.tif 000004
【図４】
0005077028.tif 000005
【図５】
0005077028.tif 000006
【図６】
0005077028.tif 000007
【図７】
0005077028.tif 000008
【図８】
0005077028.tif 000009
【図９】
0005077028.tif 000010
【図１０】
0005077028.tif 000011